(57)【要約】  本発明は、液体及び準液体の輸送及び保持用袋の縦圧縮に対する抗力を一時的に増加させる方法に関するものであり、概略形状が立方体でその各隅部にリザーバを含む袋用を意図するものである。この方法は、各袋に対して４個の膨張式緩衝材を選択することからなり、前記緩衝材は細長であり、袋内のリザーバの長さ、幅及び内容積に対応する長さ、幅及び展開寸法を有する。次に、前記４個の膨張式緩衝材を前記４個のリザーバ内に導入して後に膨張させ、これにより緩衝材を縦向きで保持することにより、リザーバの縦軸に沿った圧縮に抵抗可能となる。結果として得られる袋は、袋の四隅のリザーバが、任意選択で袋に堅固に固着される膨張式緩衝材を内部に備えることを特徴とする。【選択図】図１
2014503437.tif 000002
【特許請求の範囲】
【請求項１】
液体及び準液体の輸送及び保持用の袋の縦圧縮に対する抗力を一時的に増加させる方法であって、前記袋（１）はライナー及びリザーバ（３）を備え、それぞれの袋に対して細長で膨張式のダンネージ緩衝材（４）を選択し、その緩衝材の長さ、幅及び展開寸法が、前記袋のリザーバの内側の長さ、幅及び内容積に対応しており、リザーバ内に前記膨張式緩衝材を導入した後に膨張させ、膨張式緩衝材を縦向きで保持することにより、縦軸に沿った圧縮に抵抗可能とすることを特徴とする方法。
【請求項２】
輸送する量の液体を前記ライナー内に導入した後に、前記緩衝材を前記リザーバ内で膨張させる、請求項１に記載の方法。
【請求項３】
前記袋は略立方体であり、少なくとも一つの緩衝材（４）を挿入するための４個のリザーバを隅部に有する、請求項１又は２に記載の方法。
【請求項４】
ライナー及びリザーバ（３）を有し、それぞれのリザーバが、所望により袋に固定された、内部緩衝材（４）を有する、請求項１〜３のいずれか一項に記載の方法により得られる袋。
【請求項５】
前記袋は略立方体であり、４個のリザーバを備え、それぞれのリザーバが前記袋の各隅部にある、請求項４に記載の袋。
【請求項６】
前記緩衝材（４）は、互いに溶着された、２枚のポリエチレンフィルムと、給気／排気弁（５）とを含む、請求項４又は５に記載の袋。
【発明の詳細な説明】
【技術分野】
【０００１】
本発明は液体及び準液体の輸送及び保持用袋の縦圧縮に対する抗力を一時的に増加させる方法に関するものである。さらに本発明はかかる方法の実施により得られる袋に関する。
【背景技術】
【０００２】
液体及び準液体、特に、例えば濃縮果汁等の工業的輸送は世界貿易の重要な一端を担う。このような物質を輸送するために、第一に考慮すべきは、金属タンクやプラスチック製の壁を有する硬質容器内にそれらを収容することである。
【０００３】
しかしながら、このような硬質容器は、中身が空であっても、満量状態の時と同量の体積を占有してしまうという一つの重大な欠点を有する。空の容器を長距離にわたって輸送し充填地点に返却するのは、経済的観点及び環境保護の観点からも不合理である。このような理由で、充填の際には展開可能であるが、それ以外の際には、充填地点までの帰路で最小限の空間となるよう折り畳み可能である可撓性容器が、入手可能な場合には、好まれるのは当然である。
【０００４】
そのような可撓性容器は特に特許文献１から公知であり、これは、布片を組み立てて略立方体の袋に形成してなる外側エンベロープを基本的に開示しており、この外側エンベロープは、内側に液体または準液体物質が充填される第２エンベロープまたはライナーを収容している。外側エンベロープの四側面は二重布で構成され、補強板を受容するよう区分されている。外側エンベロープを形成する袋の四本の垂直縁は、充填時に内容液の圧力により外側に向かって膨らもうとする袋の傾向を阻止する目的で、垂直縁と平行に、垂直方向に縫合された布片によって、ライナーから分離されている。
【先行技術文献】
【特許文献】
【０００５】
【特許文献１】国際公開第２００９／０１０９２８Ａ２パンフレット
【発明の概要】
【発明が解決しようとする課題】
【０００６】
液体及び準液体物質、特に濃縮果汁の貿易は、実際にコンテナで運搬する液体の量は、コンテナの最大内部容積に依存することが稀であるという点で独特である。コンテナの上縁まで充填することはなく、発注量に応じて充填するか、あるいは空にするタンク内に残っている液体の量に応じて充填する。このため、コンテナの多くは（可撓性の有無に関わらず）部分的に充填した状態、あるいは満量に満たない状態で輸送されている。
【０００７】
硬質容器は、上述のとおり、多くの欠点を有するが、部分的に充填された状態であっても、その上に２個または３個と積み重ねることが可能であるという点で、可撓性コンテナに勝る利点を有する。可撓性コンテナの積み重ね、特に部分的に充填されたものの積み重ねには問題があり、この問題は、これまでのところ、木製の枠を使用し、この中に備え可撓性コンテナを入れて輸送に備えることによってのみ解決されてきた。
【０００８】
このような外枠は、１コンテナ当たり１００ポンド（４５．３５ｋｇ）にも達し得ることから、それらを克服することができれば、あらゆる点で顕著な経済効果が得られるであろう。
【０００９】
本発明は、液体及び準液体物質の輸送及び保持用の袋の縦圧縮強度を一時的に高めて、これらの袋を積み重ね可能とし、したがって外枠を使用する必要性を排除することを、唯一の目的として意図したものである。
【課題を解決するための手段】
【００１０】
この目的のため、本発明は、液体及び準液体の輸送及び保持用の袋の縦圧縮に対する抗力を一時的に増加させる方法であって、前記袋はライナー及びリザーバを備え、それぞれの袋に対して細長で膨張式のダンネージ緩衝材を選択し、その緩衝材の長さ、幅及び展開寸法が、袋のリザーバの内側の長さ、幅及び内容積に対応しており、リザーバ内に前記膨張式緩衝材を導入した後に膨張させ、膨張式緩衝材を縦向きで保持することにより、縦軸に沿った圧縮に抵抗可能とすることを特徴とする方法である。本発明の他の目的は、上記方法による袋であって、袋の四隅に存在する各リザーバが、袋に固着された、又は固着されていない状態の緩衝材を内部に備えることを特徴とする袋を提案することである。
【００１１】
一実施態様によれば、袋は略立方体であり、その四隅のそれぞれにリザーバを含む。袋は、前記袋の各隅に一つずつ、計４個のリザーバを収容することができる。一実施態様によれば、それぞれの袋用に４個の緩衝材を選択する。
【００１２】
一実施態様によれば、リザーバ毎に少なくとも１個の緩衝材を導入する。 
【００１３】
一実施態様によれば、緩衝材は、互いに溶着された、例えばポリエチレン等の２枚のフィルムと、給気／排気弁とを含むことができる。
【００１４】
以下の説明は、本発明による方法の用途を示す部分分解斜視図である図１の図面を参照する。図１において、特許文献１の教示に従って製造された、液体または準液体物質の輸送及び保持用の袋が示されている。袋１は、４つの側面が二重の布製である。袋の各側面は、２本の縦縫目により３つの区域に区分され、それら３つの区域のそれぞれの二重の布の間には補強パネル２が導入されている。図から明らかなように、袋の四隅には、三角形断面の平行六面体を形成しているリザーバ３があり、さらに４個のリザーバの上部口は開口しており、封止していない。
【００１５】
４個のリザーバより構成される空間には、袋の積み重ねを可能にする任意の物体を充填可能である。なお、バッグの内部全体、すなわち中央部は、輸送される液体で満たされることを意図したライナーによって占有されていることに留意すべきである。 
【００１６】
無論、例えば適当な大きさの木材等の補助フレームをリザーバに挿入することも可能であるが、総輸送重量を増加させることなく、所望の結果を得ることがより好ましい。
【００１７】
港を含む輸送の世界において、膨張式緩衝エアバッグ（ダンネージバッグ）が、例えば４０フィート（１２．１９ｍ）もの巨大なＩＳＯコンテナ等の内部の積荷を安定させるために用いられることがある。これらの緩衝材は、収縮時には、中身が空の平らな枕カバーのようである。これらの緩衝材は、全周にわたって互いに溶着された２枚のポリエチレンフィルムから作られており、給気及び排気のための弁を備える。圧縮空気を充填すると、これらのクッションは大きくなり、特に膨らんだ枕のようになる。様々な寸法と形状のかかる膨張式緩衝材が、市場で入手可能である。
【００１８】
これらの枕は非常に耐久性が高く、まるで石のように固くなるほど、内部の圧力を高くすることができる。
【００１９】
通常使用のすべての場合において、これらのクッションは、横方向において２個の積荷の間の空間を占有するよう用いられ、緩衝材の両側面の中心によって決まる水平軸に沿って、積荷を互いに分離させる。しかし、一方で、これとは異なる軸線上でこれらのクッションの特性を利用することはなかった。
【００２０】
しかし、この考えは、本発明の方法の鍵である。
【００２１】
図１に示すように、寸法がリザーバ３の高さ及び幅に対応するクッション４を選択した。また、給気弁５の位置に応じて緩衝材を選択するが、弁は緩衝材の長手方向の端部付近とすべきである。４個の緩衝材を袋のそれぞれに対して選択し、それぞれの緩衝材を４個のリザーバ３のいずれかに収縮された状態で導入する。
【００２２】
ライナーに輸送すべき量の液体が充填されると、圧縮空気で４個の緩衝材を膨張させる。
【００２３】
このリザーバ３の内部での膨張には二重の効果がある。第一に、リザーバ内側面に加えられた圧力が布の張力を高め、補強パネル２を所定の位置に固定するのを助ける。この第一の効果によって、即時に有効な結果が得られる。すなわち、ライナーに液体が部分的にしか充填されていない場合でも、袋全体の構造に最適な硬さが保証される。しかしながら、袋の構造と緩衝材との間の相互作用により、第２の効果、すなわち、袋構造またはリザーバ３の向きにより許容される位置、換言すれば、略垂直位置に各クッションを留める効果が生じる。コルセット内に詰め込まれた各緩衝材は、垂直方向の力に対して高い抗力を示すことができるが、これはそれまで予測ができなかったことである。これは特に、充填され、最初の袋の上に積み重ねられた、一つ以上の袋の重量によって発生する垂直方向の力に該当する。このような二つの効果が存在し、それらが実際に相互に関連しているため、もう一つの利点、すなわち、袋構造の最適な剛性及び縦圧縮に対するより高い抗力は、損傷したライナーが中身を失った場合であっても、影響を受けないという利点をどちらか一方のみに帰属させるのは困難である。袋の安定性及び剛性は、ライナーが少なくとも部分的に液体で満たされている場合により優れているに違いないが、ライナーが空の場合であっても、袋の積み重ねを可能にする運転闘値は、本発明に従う方法によって達成される。
【００２４】
各袋に対してこの方法を２回以上適用する必要を避けるために、膨張式緩衝材を袋のリザーバ内に、取り外せないように又は取り外せるように固定し、膨張及び収縮の間、例えば、収縮の際に袋がリザーバから出てくることを防止する荷紐又は保持金具によって、緩衝材をリザーバ内に維持することができる。
【００２５】
本発明に従う方法は、第一に、充填場所から目的地までの移動の間と、第二に、戻りの移動の間に利点を有する。
【００２６】
第一の移動の間には、緩衝材の重量は些少であるので、重量の増加を伴うことなく、充填された袋を順に積み重ねることができ、かつ、他の積荷を一つ以上の充填された袋の上に置くことも無論可能である。
【００２７】
第二の移動の間には、収縮した袋の体積は比較的小さく、重量は前述のようにほとんど無い。
【００２８】
最後に、選択した種類の袋の費用もまたほとんど無く、輸送費用を顕著に増加させることはなく、本発明に従う賢明な使用により、搬送する重量と体積を大幅に抑えることができる。
【図１】
2014503437.tif 000003
【国際調査報告】
2014503437.tif 000004
2014503437.tif 000005
2014503437.tif 000006
2014503437.tif 000007